(57)【要約】【課題】バージン樹脂のみから作製されることなく、プラスチック製品の廃棄物から解消宇されたプラスチックが用いられ、環境への負荷の少ない貼り合わせ型光ディスクを提供する。【解決手段】情報記録層を有する厚さ０．６ｍｍの記録基板１上に、厚さ０．６ｍｍの保護基板２が貼り合わされてなるＤＶＤである。記録基板１はポリカーボネートのバージン樹脂から作製されている。保護基板２は、ＣＤ又はＤＶＤの廃棄物から回収された再生ポリカーボネート樹脂から作製されている。【選択図】  図１
2005063563.tif 000002
【特許請求の範囲】
【請求項１】
情報記録層を有する記録基板上に、保護基板が貼り合わされてなる貼り合わせ型光ディスクにおいて、
前記保護基板が、プラスチック製品の廃棄物から回収された熱可塑性合成樹脂を含有する熱可塑性合成樹脂からなるものであることを特徴とする貼り合わせ型光ディスク。
【請求項２】
保護基板に含有される前記廃棄物から回収された熱可塑性合成樹脂が、光ディスク全体の３０重量％以上である請求項１に記載の貼り合わせ型光ディスク。
【請求項３】
記録基板がポリカーボネートのバージン樹脂からなり、保護基板がＣＤ又はＤＶＤ等の光ディスクの廃棄物から回収された再生ポリカーボネート樹脂からなる請求項１又は請求項２に記載の貼り合わせ型光ディスク。
【請求項４】
記録基板がポリカーボネートのバージン樹脂からなり、保護基板が、ＣＤの記録基板から情報記録層、反射層、コート層等のポリカーボネート樹脂以外の素材が剥落されたポリカーボネート樹脂板からなる請求項１に記載の貼り合わせ型光ディスク。
【発明の詳細な説明】
【技術分野】
【０００１】
この発明は、デジタルバーサタイルディスク、略称ＤＶＤや、次世代ＤＶＤとしてのブルーレイディスク等の貼り合わせ型光ディスクに関する。
なお、本書におけるＤＶＤとは、ＤＶＤ−Ｍｏｖｉｅ、ＤＶＤ−ＲＯＭ、ＤＶＤ−Ｒ、ＤＶＤ−ＲＡＭ、ＤＶＤ−ＲＷ等の総称として用いるものとする。
【背景技術】
【０００２】
貼り合わせ型光ディスクの代表としてのＤＶＤの中でも片面にのみ情報記録層を有するいわゆる片面ディスク（Ｄ）の構造は、図３に示すように、基本的に厚さ０．６ｍｍの記録用基板（51）上部に、情報記録層（53）、反射層（54）、コート層（図示省略）が積層され、接着剤層（55）を介して厚さ０．６ｍｍの保護基板（52）が貼り合わされてなるものである（特許第２８９１２５７号公報参照）。
記録基板（51）及び保護基板（52）に用いられる樹脂はポリカーボネート樹脂が一般的であるが、記録基板（51）にポリカーボネート樹脂、特にポリカーボネートのバージン樹脂が用いられる所以は、レーザー光の透過に好適な光学的特性を有しているからである。
一方、保護基板（52）は、レーザー光が入射されることがないので、優れた光学的特性を必要とするものではないが、熱や湿気から起こるＤＶＤ全体の反りや変形を考慮すると、記録基板（51）と同質の素材であることが要求され、その結果、記録基板（51）と同様にポリカーボネートのバージン樹脂が用いられているのが実情である。
また、このようなＤＶＤの次世代ＤＶＤとして、つい最近登場したレーザービームに青色レーザーを用いる貼り合わせ型光ディスクは、前記ＤＶＤとほぼ同一の層構成からなるものと、情報記録層を有する厚さ０．１ｍｍの記録基板を基本として保護基板が積層されたりあるいはさらに情報記録層及び反射層の複数層及び保護基板が積層されたりする構成のもの（ブルーレイディスク）とに大別できる。いずれの構成であるにせよ、記録基板に保護基板が貼り合わされて厚さ１．２ｍｍの貼り合わせ型光ディスクが作製されている。
【特許文献１】特許第２８９１２５７号公報（図３、段落番号［0003］）
【０００３】
ところで、最近は、環境保護の観点から世界的に循環型社会の形成が叫ばれ、それに呼応するように、我が国においても、平成１２年５月に循環型社会形成推進基本法の個別法のひとつとして、国等による環境物品等の調達の推進等に関する法律、いわゆるグリーン購入法が制定されるに至った。
このグリーン購入法は、要するに国等の公的機関が環境物品等（環境負荷の低減に役立つ原材料・部品またはそれを利用した製品・その他を使ったサービス）を積極的に調達し、使用することを定めたものである。前記環境負荷の低減に役立つ原材料・部品を利用した製品とは、例えば、主要材料がプラスチックからなる文具類の場合、廃棄物から再生されたいわゆる再生プラスチックがプラスチック重量の３０％あるいは４０％以上使用されていることが基準とされている。
【発明の開示】
【発明が解決しようとする課題】
【０００４】
しかしながら、情報社会においてこれから益々使用されることが予測されるＤＶＤあるいは次世代ＤＶＤは、従来は、上記のとおりバージン樹脂だけを用いて作製されていたものであるから、前記環境物品に該当しないことになる。
この発明は、このような実情に鑑みてなされたもので、バージン樹脂のみから作製されれることなく、廃棄物としてのプラスチックが活用され、前記グリーン購入法に言う環境への負荷の少ない貼り合わせ型光ディスクを提供しようとするものである。
【課題を解決するための手段】
【０００５】
上記課題を解決するために、この発明は、情報記録層を有する記録基板上に、保護基板が貼り合わされてなる貼り合わせ型光ディスクにおいて、前記保護基板が、プラスチック製品の廃棄物から回収された熱可塑性合成樹脂を含有する熱可塑性合成樹脂からなるものであることを特徴とする貼り合わせ型光ディスク、を要旨とする。
保護基板に含有される前記廃棄物から回収された熱可塑性合成樹脂は、光ディスク全体の３０重量％以上であることが好ましい。単に保護基板がリサイクルされた熱可塑性合成樹脂から作製されているというだけでなく、グリーン購入法に言う環境物品に適合するからである。
記録基板がポリカーボネートのバージン樹脂からなるものである場合、保護基板がＣＤ又はＤＶＤ等の光ディスクの廃棄物から回収された再生ポリカーボネート樹脂からなるものであることが好ましい。保護基板は、この再生ポリカーボネート樹脂に替えて、ＣＤの記録基板から情報記録層、反射層、コート層等のポリカーボネート樹脂以外の素材が剥落されたポリカーボネート樹脂板からなるものであっても良い。
【発明の効果】
【０００６】
この発明によれば、保護基板がプラスチックの廃棄物により回収された熱可塑性合成樹脂を含有するものであるから、環境負荷の低減に寄与しうる貼り合わせ型光ディスクを提供できる。
また、保護基板に含有される前記廃棄物から回収された熱可塑性合成樹脂は、光ディスク全体の３０重量％以上である場合には、ＤＶＤ全体のプラスチック重量の３０％以上が再利用されたプラスチックからなるものであるから、グリーン購入法に言う環境物品として好適な貼り合わせ型光ディスクを提供できる。
【０００７】
記録基板がポリカーボネートのバージン樹脂からなり、保護基板がＣＤ又はＤＶＤの廃棄物から回収された再生ポリカーボネート樹脂からなる場合、あるいは、ＣＤの記録基板から情報記録層、反射層、コート層等のポリカーボネート樹脂以外の素材が剥落されたポリカーボネート樹脂板からなる場合には、記録基板と保護基板とがほぼ同質の素材からなり、両者の間に極端な機械的特性の差が出ないので、異なる素材からなる記録基板と保護基板とがが貼り合わされた場合に較べて全体として機械的特性の安定した貼り合わせ型光ディスクが得られる。
【発明を実施するための最良の形態】
【０００８】
以下、この発明の実施形態を図面に基づいて説明する。
図１は、この発明に係るＤＶＤとしての貼り合わせ型光ディスクの一実施形態（Ａ）の概略断面図で、情報記録層（３）を有する厚さ０．６ｍｍの記録基板（１）上に、厚さ０．６ｍｍの保護基板（２）が貼り合わされている。
記録基板（１）は、従来のＣＤやＤＶＤと同様にポリカーボネートのバージン樹脂から作製され、入射されるレーザー光に対して安定した反射率特性等の光化学的特性を備えているものである。情報記録層（３）の上面にアルミニウムからなる反射膜層（４）が設けられ、さらにコート層（図示省略）が積層されていることは従来のＤＶＤと同様である。
この記録基板（１）の上面に接着剤層（５）を介して保護基板（２）が貼り合わされている。保護基板（２）は、ＣＤ又はＤＶＤの廃棄物から回収した再生ポリカーボネート樹脂から作製されたもので、廃棄物としてのＣＤ又はＤＶＤからポリカーボネート樹脂以外の素材を種々の方法により剥落させてポリカーボネート樹脂のみを溶融した後、若干のバージン樹脂を加えて再度保護基板の形状に形成されたものである。
なお、この保護基板（２）は、廃棄物としての厚さ１．２ｍｍのＣＤの記録基板から情報記録層、反射層、コート層等のポリカーボネート樹脂以外の素材が剥落されたポリカーボネート樹脂板を０．６ｍｍの厚さに研磨したものが用いられることもある。
【０００９】
この実施形態のＤＶＤとしての貼り合わせ型光ディスク（Ａ）は、全体の約５０％が再生ポリカーボネート樹脂からなるものであるから、グリーン購入法に言う環境物品として好適である。また、記録基板（１）がポリカーボネートのバージン樹脂から作製される一方、保護基板（２）が再生ポリカーボネート樹脂から作製されているので、異なる素材が貼り合わされた場合に較べて全体として機械的特性の安定したＤＶＤが得られる。
【００１０】
図２は、この発明に係るＤＶＤとしての貼り合わせ型光ディスクの他の実施形態（Ｂ）の概略断面図で、情報記録層を有する厚さ０．６ｍｍの記録基板（11）上に、厚さ０．６ｍｍの保護基板（12）が貼り合わされていること、記録基板（11）がポリカーボネートのバージン樹脂からなり、保護基板（12）が廃棄物としてのＣＤ又はＤＶＤから回収された再生ポリカーボネート樹脂からなることは、先の実施形態のＤＶＤと同様である。
このＤＶＤと先の実施形態のＤＶＤとの相違は、記録基板（11）が２層の情報記録層（13ａ）（13ｂ）を有しているところにある。すなわち、記録基板（11）の上層に、第１の情報記録層（13ａ）、半透明反射膜層（14ａ）、第２情報記録層（13ｂ）及び全反射膜層（14ｂ）が順次積層されることにより、記録容量が先の実施形態のＤＶＤよりも増大しているものである。図中（15）は、接着剤層である。
それ以外には、先の実施形態のＤＶＤと異なるところがないので、詳細な説明は省略する。
【００１１】
図３は、この発明に係る次世代ＤＶＤ（Ｃ）の一実施形態の概略断面図で、情報記録層（23）を有する厚さ０．１ｍｍの記録基板（21）上に、厚さ１．１ｍｍの保護基板（22）が貼り合わされているものである。なお、この図３においては、記録基板（21）をわかりやすく表示するために、保護基板（22）との厚さの比が無視して描かれている。
前記記録基板（21）は、ポリカーボネートのバージン樹脂から作製され、保護基板（22）は、先の実施形態のＤＶＤと同様に、廃棄物としてのＣＤ又はＤＶＤから回収された再生ポリカーボネート樹脂から作製されている。図中、（24）は、反射膜層、（25）は、接着剤層である。
この次世代ＤＶＤ（Ｃ）は、全体の約９０％が再生ポリカーボネート樹脂からなるものであるから、グリーン購入法に言う環境物品として好適である。また、記録基板がポリカーボネートのバージン樹脂からなり、保護基板がＣＤ又はＤＶＤの廃棄物から回収されたポリカーボネート樹脂から作製されているので、異なる素材が貼り合わされた場合に較べて全体として機械的特性の安定した次世代ＤＶＤが得られる。
【図面の簡単な説明】
【００１２】
【図１】この発明に係る貼り合わせ型光ディスク（ＤＶＤ）の第１実施形態の概略断面図である。
【図２】この発明に係る貼り合わせ型光ディスク（ＤＶＤ）の第２実施形態の概略断面図である。
【図３】この発明に係る貼り合わせ型光ディスク（次世代ＤＶＤ）の一実施形態の概略断面図である。
【図４】従来の貼り合わせ型光ディスク（ＤＶＤ）の概略断面図である。
【符号の説明】
【００１３】
１、11  21…記録基板
２、12、22…保護基板
３、13ａ、13ｂ、23…情報記録層
【図１】
2005063563.tif 000003
【図２】
2005063563.tif 000004
【図３】
2005063563.tif 000005
【図４】
2005063563.tif 000006